(57)【要約】【課題】  画像の一覧表示を簡潔に行うことができる画像表示装置及びそれを備えたデジタルカメラを提供する。【解決手段】  パーソナルコンピュータ２は、デジタルカメラから取り込んだ複数の各画像ファイルがそれぞれ類似するか否かを判定するための画像類似判定プログラム６５ａと、この画像類似判定プログラム６５ａによって類似すると判定された複数の画像ファイルから１つの画像ファイルのサムネイル画像のみを代表画像としてモニタ６６の画面上に表示するための画像表示プログラム６５ｂとを備える。画像類似判定プログラム６５ａ及び画像表示プログラム６５ｂはパーソナルコンピュータ２のＣＰＵ６０によって実行される。また、この画像類似判定プログラム６５ａ及び画像表示プログラム６５ｂとをデジタルカメラに組み込むようにしてもよい。【選択図】        図４
2005223854.tif 000002
【特許請求の範囲】
【請求項１】
デジタルカメラで撮影した複数の画像を画面上に一覧表示することを可能とする画像表示装置において、
前記各画像が類似するか否かを判定する画像類似判定手段と、
この画像類似判定手段によって類似すると判定された複数の画像から１つの画像のみを代表画像として表示する画像表示手段とを設けたことを特徴とする画像表示装置。
【請求項２】
前記画像類似判定手段は、画像に付されたタグ情報に基づいて前記各画像が類似するか否かを判定することを特徴とする請求項１記載の画像表示装置。
【請求項３】
前記画像表示手段は、いずれにも類似しない１つの画像と、類似する複数の画像の前記代表画像とを区別して表示することを特徴とする請求項１又は２記載の画像表示装置。
【請求項４】
類似した各画像から画質が最良な画像を選定して前記代表画像とする代表画像選定手段を設けたことを特徴とする請求項１ないし３のいずれかに記載の画像表示装置。
【請求項５】
請求項１ないし４のいずれかに記載の画像表示装置を備えたことを特徴とするデジタルカメラ。
【発明の詳細な説明】
【技術分野】
【０００１】
本発明は、デジタルカメラによって撮影された複数の画像を画面上に一覧表示する表示する画像表示装置及びそれを備えたデジタルカメラに関するものである。
【背景技術】
【０００２】
デジタルカメラで撮影された画像データは、デジタルカメラの内部に設けられた内部メモリや、着脱自在なメモリカードなどの記録媒体に記録される。この記録媒体に記録された画像データを閲覧する場合には、デジタルカメラ自身が備えるＬＣＤ表示装置の他、パーソナルコンピュータ（ＰＣ）などの外部表示装置が使用されている。例えば、デジタルカメラをＵＳＢ（Universal Serial Bus）ケーブルを用いてＰＣに接続することによって、画像データをＰＣに転送し、ＰＣに搭載されたアプリケーションプログラムによって、モニタの画面上に表示が行われる。
【０００３】
近年のデジタルカメラには、連続した静止画撮影を一度に行う連写撮影機能や、段階的に露出を変えながら一度に複数枚の静止画撮影を行うオートブラケティング（ＡＥＢ）撮影機能などが付加されている（例えば、特許文献１参照）。また、近年、記録媒体の大容量化が進んでいるので、連写撮影やオートブラケティング撮影などで撮影される一連の多数の画像データをそのまま記録媒体に記録することができるようになっている。
【０００４】
【特許文献１】特開２００３−３４８４３８号公報
【発明の開示】
【発明が解決しようとする課題】
【０００５】
しかしながら、このような連写撮影やオートブラケティング撮影などで得られた多数の画像データや、通常の１枚ずづの撮影で得られた画像データなどをまとめてモニタの画面上にそれらのサムネイル画像を一覧表示すると、類似したサムネイル画像が多数、連続的に表示されることとなり、煩雑な表示となる。
【０００６】
本発明は、デジタルカメラで撮影された多数の画像の一覧表示を簡潔に行うことができる画像表示装置及びそれを備えたデジタルカメラを提供することを目的とする。
【課題を解決するための手段】
【０００７】
本発明の画像表示装置は、デジタルカメラで撮影した複数の画像を画面上に一覧表示することを可能とする画像表示装置において、前記各画像が類似するか否かを判定する画像類似判定手段と、この画像類似判定手段によって類似すると判定された複数の画像から１つの画像のみを代表画像として表示する画像表示手段とを設けたことを特徴とするものである。
【０００８】
なお、前記画像類似判定手段は、画像に付されたタグ情報に基づいて前記各画像が類似するか否かを判定することが好ましい。
【０００９】
また、前記画像表示手段は、いずれにも類似しない１つの画像と、類似する複数の画像の前記代表画像とを区別して表示することが好ましい。
【００１０】
また、類似した各画像から画質が最良な画像を選定して前記代表画像とする代表画像選定手段を設けたことが好ましい。
【００１１】
本発明のデジタルカメラは、上記いずれかの画像表示装置を備えたことを特徴とするものである。
【発明の効果】
【００１２】
本発明の画像表示装置は、デジタルカメラで撮影した複数の画像を画面上に一覧表示することを可能とする画像表示装置において、各画像が類似するか否かを判定する画像類似判定手段と、この画像類似判定手段によって類似すると判定された複数の画像から１つの画像のみを代表画像として表示する画像表示手段とを設けたので、撮影された多数の画像の一覧表示を簡潔に行うことができる。
【発明を実施するための最良の形態】
【００１３】
図１において、本発明を適用したパーソナルコンピュータ（ＰＣ）２には、デジタルカメラ３がＵＳＢケーブル４を介して接続されている。このＰＣ２は、デジタルカメラ３から画像ファイル５０（図３参照）を取り込んで、画像ファイル５０に含まれる主画像５０又はサムネイル画像５１をモニタに表示することが可能となっている。
【００１４】
デジタルカメラ３の電気的構成を示す図２において、撮像レンズ１０には、レンズモータ１１が接続されている。また、絞り１２には、アイリスモータ１３が接続されている。これらのモータ１１、１３はステッピングモータからなり、ＣＰＵ１４に接続されたモータドライバ１５，１６から送信される駆動パルスにより動作制御され、レリーズボタン１７の半押しに伴う撮影準備処理を行う。
【００１５】
レンズモータ１１は、操作部１８が備えるズーム操作ボタンの操作に連動して、撮像レンズ１０のズームレンズをワイド側、あるいはテレ側に移動させる。また、被写体距離やズームレンズの変倍に応じて撮像レンズ１０のフォーカスレンズを移動させ、撮影条件が最適となるように焦点調整を行う。アイリスモータ１３は、絞り１２を動作させ、露出調整を行う。
【００１６】
撮像レンズ１０の背後には、撮像レンズ１０を透過した被写体光が撮像されるＣＣＤ１９が配置されている。ＣＣＤ１９には、ＣＰＵ１４によって制御されるタイミングジェネレータ（ＴＧ）２０が接続され、このＴＧ２０から入力されるタイミング信号（クロックパルス）により、電子シャッタのシャッタ速度が決定される。
【００１７】
ＣＣＤ１９から出力された撮像信号は、相関二重サンプリング回路（ＣＤＳ）２１に入力され、ＣＣＤ２１の各セルの蓄積電荷量に正確に対応したＲ、Ｇ、Ｂの画像データとして出力される。ＣＤＳ２１から出力された画像データは、増幅器（ＡＭＰ）２２で増幅され、Ａ／Ｄ変換器（Ａ／Ｄ）２３でデジタルの画像データに変換される。
【００１８】
画像信号処理回路２４は、階調変換、ホワイトバランス補正、γ補正処理などの各種画像処理を画像データに施す。画像信号処理回路２４で各種画像処理を施された画像データは、ＳＤＲＡＭ２５に一旦格納される。このＳＤＲＡＭ２５に格納された画像データは、ＬＣＤドライバ２６によりコンポジット信号に変換され、ＬＣＤ２７に表示される。
【００１９】
ＹＣ処理回路２８は、画像信号処理回路２４で各種画像処理を施された画像データをＳＤＲＡＭ２５から読み出して、輝度信号Ｙと色差信号Ｃｒ、Ｃｂとに変換する。圧縮伸長処理回路２９は、この変換された画像データに対して、所定の圧縮形式（例えばＪＰＥＧ形式）で画像圧縮を施す。
【００２０】
圧縮伸長処理回路２９により圧縮された画像データは、画像ファイル５０の形式で、メディアコントローラ３０を介してメモリカード３１に記録される。メモリカード３１に記録された画像ファイル５０は、通信Ｉ／Ｆ３２およびＵＳＢコネクタ３３を経由して、ＰＣ２などの外部機器に送信される。ＵＳＢコネクタ３３には、前述のＵＳＢケーブル４が接続される。
【００２１】
ＣＰＵ１４は、バス３４を介して各部に接続し、デジタルカメラ３の全体の動作を統括的に制御する。ＣＰＵ１４には、前述のレリーズボタン１７、操作部１８の他に、ＥＥＰＲＯＭ３５が接続されている。ＥＥＰＲＯＭ３５には、各種制御用のプログラムや設定情報などが記録されている。ＣＰＵ１４は、これらの情報をＥＥＰＲＯＭ３５から作業用メモリであるＳＤＲＡＭ２５に読み出して、各種処理を実行する。
【００２２】
また、バス３４には、露出量、すなわち電子シャッタのシャッタ速度、および絞り１２の絞り値が撮影に適切か否かを検出するとともに、ホワイトバランスが撮影に適切か否かを検出するＡＥ／ＡＷＢ検出回路３６、撮像レンズ１０の焦点調整が撮影に適切か否かを検出するＡＦ検出回路３７、ストロボ装置３８の動作を制御するストロボ制御回路３９なども接続されている。
【００２３】
レリーズボタン１７は、２段階押しのスイッチとなっている。ＬＣＤ２７によるフレーミングの後に、レリーズボタン１７を軽く押圧（半押し）すると、自動露光調整（ＡＥ）、自動焦点調整（ＡＦ）などの各種撮影準備処理が施される。この状態でレリーズボタン１７をもう１度強く押圧（全押し）すると、撮影準備処理が施された１画面分の撮像信号が画像データに変換された後、画像信号処理回路２４および圧縮伸長処理回路２９による画像処理および圧縮処理が施され、画像ファイル５０がメモリカード３１に記録される。なお、このとき、撮影日時やシャッタ速度などのタグ情報が画像ファイル５０に付加される。
【００２４】
デジタルカメラ３は、レリーズボタン１７の一度の操作で１コマの撮影を行う「１コマ撮影」の他、ＣＰＵ１４が上記各部を制御することによって、レリーズボタン１７の一度の操作で複数コマの撮影を連続して行う「連写撮影」、およびレリーズボタン１７の一度の操作で段階的に露出を変えながら複数コマの撮影を連続して行う「オートブラケティング撮影」を行うことを可能とする。この連写撮影やオートブラケティング撮影の場合には、複数の画像ファイル５０がメモリカード３１に一度に記録されることとなる。
【００２５】
また、操作部１８には、１コマ撮影、連写撮影、オートブラケティング撮影などの撮影モードを設定する設定ボタンが設けられている。
【００２６】
図３において、画像ファイル５０は、連写撮影で得られるものの一例であり、主画像５１、サムネイル画像５２、およびこの画像データに関するタグ情報５３などから構成されている。タグ情報５３には、撮影日時、タイトル、撮影モード、シャッタ速度、絞り値、露出補正値などが付記されている。
【００２７】
また、デジタルカメラ３では、メモリカード３１に画像ファイル５０が記録される毎に、その画像ファイル５０に固有のファイル名（撮影した順番に連続した通し番号、例えばＤＳＣＦ０００１．ＪＰＧなど）を付与する。なお、ファイル名の拡張子「. ＪＰＧ」は、ＪＰＥＧ形式で圧縮した画像データであることを表す。
【００２８】
図４に示すように、ＰＣ２は、ＣＰＵ６０により全体の動作が統括的に制御される。ＣＰＵ６０は、バス６１を介して、ＲＡＭ６２、ＲＯＭ６３、および入出力Ｉ／Ｆ６４に接続されている。ＲＡＭ６２には、デジタルカメラ３から取り込まれた画像ファイル５０が記録される。ＲＯＭ６３には、ＰＣ２の起動時に必要なプログラムや、画像類似判定プログラム６５ａおよび画像表示プログラム６５ｂを備えるソフトウェア６５が格納されており、これらのプログラムはＣＰＵ６０によって実行される。入出力Ｉ／Ｆ６４には、モニタ６６、キーボード６７、マウス６８、ＵＳＢコネクタ６９などが接続されている。
【００２９】
画像類似判定プログラム６５ａは、デジタルカメラ３から取り込まれてＲＡＭ６２に記録された複数の画像ファイル５０からタグ情報５３を参照して、２つの画像ファイルが類似しているか否かを判定する。すなわち、類似画像検索プログラム６５ａは、撮影日時、タイトル、撮影モード、シャッタ速度、絞り値、露出補正値などのタグ情報５３を画像ファイル５０毎に比較して類似判定を行う。例えば、撮影日時が近いか、タイトルが類似しているか、撮影モードが同一であるか、撮影条件が近いか、などの点について着目する。
【００３０】
画像表示プログラム６５ｂは、画像類似判定プログラム６５ａによって複数の画像ファイル５０が類似すると判定された場合には、図５（Ａ）に示すように、１つの画像ファイル５０のサムネイル画像５２のみを代表画像として表示し、他の画像ファイル５０のサムネイル画像５２は表示せずに背後に重ねるようにして表す。一方、いずれにも類似しないと判定された画像ファイル５０は、図５（Ｂ）に示すように、１つのサムネイル画像５２のみを表示する。このように、画像表示プログラム６５ｂは、類似する画像ファイル５０がある場合とない場合とで、サムネイル画像５２の表示を区別する。
【００３１】
次に、図６〜図８を用いて、上記構成によるＰＣ２の作用について説明する。デジタルカメラ３で、１コマ撮影、連写撮影、オートブラケティング撮影などを行うことによって、タグ情報およびサムネイル画像を備えた、例えば図６に示すような各種画像ファイル５０ａ〜５０ｐがメモリカード３１に記録される。撮影終了後、デジタルカメラ３のＵＳＢコネクタ３３とＰＣ２のＵＳＢコネクタ６９とがＵＳＢケーブル４で接続され、メモリカード３１に記録された画像ファイル５０ａ〜５０ｐがＰＣ２のＲＡＭ６２に取り込まれる。
【００３２】
ソフトウェア６５が起動されると、モニタ６６の画面上には画像表示ウィンドウが現れる。このとき、ＣＰＵ６０によって、画像類似判定プログラム６５ａおよび画像表示プログラム６５ｂが実行され、図７に示す流れに沿った処理が画像ファイル５０ａ〜５０ｐに対して行われる。まず、画像表示プログラム６５ｂによって、第１番目の画像ファイル５０ａのサムネイル画像５２ａが画像表示ウィンドウに、図５（Ｂ）のように表示される。別の第２番目の画像ファイル５０ｂが選択され、サムネイル画像が表示された画像ファイル５０ａと、タグ情報が比較されて類似判定が行われる。画像ファイル５０ａと画像ファイル５０ｂとが類似する場合には、画像ファイル５０ｂのサムネイル画像５２ｂは表示されずに、サムネイル画像５２ａの背後に重ねられ、図５（Ａ）のような表示（重畳表示）となる。一方、画像ファイル５０ｂが画像ファイル５０ａに類似しない場合には、画像ファイル５０ｂのサムネイル画像５２ｂが、図５（Ｂ）のように、画像表示ウィンドウに新たに表示される。
【００３３】
続いて、別の第３番目の画像ファイル５０ｃが選択され、既にサムネイル画像が表示されている画像ファイル５０ａ（画像ファイル５０ａと画像ファイル５０ｂとが類似しなかった場合には、画像ファイル５０ｂも）とタグ情報が比較されて類似判定が行われる。類似する場合には、画像ファイル５０ｃのサムネイル画像５２ｃは表示されず、類似する画像ファイルのサムネイル画像に重ねられて重畳表示となる。一方、類似しない場合には、新たにサムネイル画像５２ｃが表示される。このようにして、順に全ての画像ファイルについて行われる。
【００３４】
このようにして、図８に示すように、画像表示ウィンドウ７０内にサムネイル画像５２ａ，５２ｆ，５２ｊ、およびサムネイル画像５２ｍ〜５２ｐが表示される。画像ファイル５０ａ〜５０ｅは、連写撮影によって得られた類似画像であって、画像ファイル５０ａのサムネイル画像５２ａが代表画像となって重畳表示されている。画像ファイル５０ｆ〜５０ｉは、別の連写撮影によって得られた類似画像であって、画像ファイル５０ｆのサムネイル画像５２ｆが代表画像となって重畳表示されている。また、画像ファイル５０ｆ〜５０ｉは、オートブラケティング撮影によって得られた類似画像であって、画像ファイル５０ｊのサムネイル画像５２ｊが代表画像となって重畳表示されている。画像ファイル５０ｍ〜５０ｐは、それぞれ１コマ撮影によって得られた画像ファイルであって、いずれにも類似せず、各画像ファイルのサムネイル画像５２ｍ〜５０ｐが表示されている。
【００３５】
なお、連写撮影やオートブラケティング撮影によって得られた類似した画像ファイルのサムネイル画像を重畳表示するようにしたが、これに限られず、撮影日時が近いもの、タイトルが同一であるものなどを類似画像と判定して、サムネイル画像を重畳表示するようにしてもよい。
【００３６】
図９は、本発明の別の実施形態を示す。ＰＣ２のＲＯＭ６３には、前述の画像類似判定プログラム６５ａおよび画像表示プログラム６５ｂの他、代表画像ファイルを選定するための代表画像選定プログラム６５ｃを備えるソフトウェア７１が格納されている。代表画像選定プログラム６５ｃはＣＰＵ６０によって実行され、上記の類似判定処理で得られた一組の類似画像ファイル（例えば、画像ファイル５０ｆ〜５０ｉ）から、主画像のデータを評価し、ピント、露出、色合いなどが最も良好なものを１つ選定して代表画像ファイルとする。例えば、画像データの高周波成分が最も大きいものを選定することにより、最もピントの合った画像ファイルをて代表画像ファイルとすることができる。
【００３７】
図１０の流れに沿って、この構成における作用について説明する。まず、図７に示した流れで、例えば図６に示した画像ファイル５０ａ〜５０ｐの類似判定が行われ、図８に示すようなサムネイル画像５２ａ，５２ｆ，５２ｊ、およびサムネイル画像５２ｍ〜５２ｐが画像表示ウィンドウ７０内に表示される。続いて、サムネイル画像５２ａが選択される。サムネイル画像５２ａは重畳表示されているので、代表画像選定プログラム６５ｃによってサムネイル画像５２ａの属する類似画像ファイル５０ａ〜５０ｅの画像データが評価され、画質の最良な代表画像ファイルが選定される。例えば、画像ファイル５０ｃが代表画像ファイルと選定された場合には、代表画像として現在画像表示ウィンドウ７０内に表示されているサムネイル画像５２ａに代えて、画像ファイル５０ｃのサムネイル画像５２ｃが表示される。
【００３８】
サムネイル画像５２ｆ，５２ｊもそれぞれ重畳表示されているので、同様に、類似画像ファイルの中から代表画像ファイルが選定され、選定された代表画像ファイルのサムネイル画像が既に代表画像として表示されているサムネイル画像５２ｆ，５２ｊに代えて表示される。一方、サムネイル画像５２ｍ〜５２ｐは重畳表示されていないので、代表画像選定プログラム６５ｃは作動せず、サムネイル画像５２ｍ〜５２ｐが引き続き代表画像として表示される。このように、ユーザが画像の良し悪しを判断することなく、代表画像ファイルが選定され、最も画質の良いサムネイル画像が表示される。
【００３９】
なお、上記実施形態では、画像類似判定プログラム６５ａによって画像ファイルのタグ情報が参照され、画像ファイルの類似判定が行われるようにしたが、これに限られるものではなく、画像類似判定プログラム６５ａによって行われる類似判定には、特許文献「特開平１０−３３４１１７号公報」に開示されているような、画像データの座標情報および色情報を正規化して比較する手段を用いてもよい。
【００４０】
また、上記実施形態では、デジタルカメラ３の撮影で得られた画像ファイルのサムネイル画像をＰＣ２で表示するようにしたが、これに限られるものではなく、上記のソフトウェア６５又はソフトウェア７１をデジタルカメラ３のＥＥＰＲＯＭ３５に格納し、ＣＰＵ３３がこれを上記の様に実行して、ＬＣＤ２７に画像ファイルのサムネイル画像を一覧表示させるようにしてもよい。本発明はサムネイル画像の一覧表示を簡潔に行うことができるので、デジタルカメラに搭載されるような小さなモニタにはより効果的である。
【図面の簡単な説明】
【００４１】
【図１】パーソナルコンピュータにデジタルカメラを接続した様子を示す概略図である。
【図２】デジタルカメラの電気的構成を示すブロック図である。
【図３】画像ファイルの構成を示す説明図である。
【図４】パーソナルコンピュータの電気的構成を示すブロック図である。
【図５】サムネイル画像が表示された様子を示す図であり、（Ａ）は類似画像ファイルの複数のサムネイル画像が重畳表示された図、（Ｂ）は１つ画像ファイルのサムネイル画像が表示された図である。
【図６】メモリカードに記録された複数の各種画像ファイルの例を示す図である。
【図７】パーソナルコンピュータによる画像類似判定およびサムネイル画像表示の処理手順を説明するフローチャートである。
【図８】サムネイル画像が画像表示ウィンドウに表示された様子を示す図である。
【図９】別の実施形態におけるパーソナルコンピュータの電気的構成を示すブロック図である。
【図１０】代表画像ファイルが選定される処理を説明するフローチャートである。
【符号の説明】
【００４２】
２  パーソナルコンピュータ
３  デジタルカメラ
４  ＵＳＢケーブル
１０  撮像レンズ
１２  絞り
１４  ＣＰＵ
１９  ＣＣＤ
２４  画像信号処理回路
２７  ＬＣＤ
３１  メモリカード
３５  ＥＥＰＲＯＭ
３６  ＡＥ／ＡＷＢ検出回
３７  ＡＦ検出回路
５０  画像ファイル
５１  主画像
５２  サムネイル画像
５３  タグ情報
６０  ＣＰＵ
６３  ＲＯＭ
６５  ソフトウェア
６５ａ  画像類似判定プログラム
６５ｂ  画像表示プログラム
６５ｃ  代表画像選定プログラム
６６  モニタ
７０  画像表示ウィンドウ
７１  ソフトウェア
【図１】
2005223854.tif 000003
【図２】
2005223854.tif 000004
【図３】
2005223854.tif 000005
【図４】
2005223854.tif 000006
【図５】
2005223854.tif 000007
【図６】
2005223854.tif 000008
【図７】
2005223854.tif 000009
【図８】
2005223854.tif 000010
【図９】
2005223854.tif 000011
【図１０】
2005223854.tif 000012